(57)【要約】【課題】磁気回路部の重量を十分大きくして振動加速度の向上した上記電磁エキサイタを提供する。【解決手段】外部ヨーク８、磁石９及び内部ヨーク１０を有する磁気回路部１２と、ボイスコイル５と、磁気回路部１２の周囲に配置される筒状壁を有するケーシング２と、外部ヨーク８の筒状の側壁部８ｂの端部とケーシングの筒状壁との間に設定され、該ケーシングの該筒状壁に連結保持するサスペンション１３，６３と、外部ヨークの側壁部の外側面上に取り付けられた重り１１，３１とを有する。サスペンションが、外部リング部１３ｂ、６３ｂ及び内部リング部１３ａ，６３ｂと、それぞれが、一端において外側リング部に連結され、他端において内側リング部に連結されている一対の円弧状のアーム部１３ｃ、６３ｃを有する。磁気回路が振動された際に、重りがアーム部に接触しないように、アーム部を傾斜させるか、重りのアーム部に面する部分に傾斜をつける。【選択図】図１
2006325198.tif 000002
【特許請求の範囲】
【請求項１】
筒状の側壁部及び該側壁部の一方の端部に形成された底部壁を有する外部ヨーク、該外部ヨーク内で該底部壁の上に順次積層された磁石及び内部ヨークを有し、該内部ヨークと該側壁部との間に磁気ギャップを形成してなる磁気回路部と、
該磁気ギャップ内に挿入設定されるボイスコイルと、
該磁気回路部及びボイスコイルを収納するケーシングであって、該磁気回路部の周囲に配置される筒状壁を有するケーシングと、
該外部ヨークの該筒状の側壁部の他方の端部と該ケーシングの筒状壁との間に設定され、該磁気回路部を該ケーシングの該筒状壁に連結保持するサスペンションと、
該外部ヨークの側壁部の外側面上に取り付けられた重りと、
を有し、
該サスペンションが、該外部ヨークの該側壁部の他方の端部に固定される内側固定部と、該ケーシングの該筒状壁に固定される外側固定部と、該内側固定部及び外側固定部を連結する連結部とを有し、該外側固定部が該内側固定部よりも該ケーシングの該筒状壁の軸線方向において該重りから離れた位置で該筒状壁に固定され、該連結部が該内側固定部と該外側固定部との間で傾斜するようになされている電磁エキサイタ。
【請求項２】
該サスペンションの該外側固定部及び該内側固定部が同心状にされた外部リング部及び内部リング部とされ、該連結部が該外部リング部及び内部リング部の間の円環状空間に配置された一対の円弧状のアーム部であって、相互に対照的に配置され、それぞれが、一端において外側リング部に連結され、他端において内側リング部に連結されてなる請求項１に記載の電磁エキサイタ。
【請求項３】
筒状の側壁部及び該側壁部の一方の端部に形成された底部壁を有する外部ヨーク、該外部ヨーク内で該底部壁の上に順次積層された磁石及び内部ヨークを有し、該内部ヨークと該側壁部との間に磁気ギャップを形成してなる磁気回路部と、
該磁気ギャップ内に挿入設定されるボイスコイルと、
該磁気回路部及びボイスコイルを収納するケーシングであって、該磁気回路部の周囲に配置される筒状壁を有するケーシングと、
該外部ヨークの該筒状の側壁部の他方の端部と該ケーシングの筒状壁との間に設定され、該磁気回路部を該ケーシングの該筒状壁に連結保持するサスペンションと、
該外部ヨークの側壁部の外側面上に取り付けられた重りと、
を有し、
該サスペンションが、該外部ヨークの該側壁部の他方の端部に固定される内側固定部と、該ケーシングの該筒状壁に固定される外側固定部と、一端において外側固定部に連結され、他端において内側固定部に連結されている連結部とを有し、
該重りが、該サスペンションに向かう面を有し、該面が該連結部に軸線方向で対向する部分を有し、該部分と該連結部との間の軸線方向における間隔が、該アーム部の該他端から該一端に向かうに従って大きくなるように傾斜されている電磁エキサイタ。
【請求項４】
該サスペンションが、該筒状壁の軸線に対して直角方向に延びるように設定されている請求項３に記載の電磁エキサイタ。
【請求項５】
該外側固定部が該内側固定部よりも該ケーシングの該筒状壁の軸線方向において該重りから離れた位置で該筒状壁に固定され、該連結部が該内側固定部と該外側固定部との間で傾斜するようになされている請求項３に記載の電磁エキサイタ。
【請求項６】
該サスペンションの該外側固定部及び該内側固定部が同心状にされた外部リング部及び内部リング部とされ、該連結部が該外部リング部及び内部リング部の間の円環状空間に配置された一対の円弧状のアーム部であって、相互に対照的に配置され、それぞれが、一端において外側リング部に連結され、他端において内側リング部に連結されてなる請求項５に記載の電磁エキサイタ。
【発明の詳細な説明】
【技術分野】
【０００１】
本発明は、携帯電話やＰＤＡなどの移動通信機器に組み込まれ、それら機器の筐体等を振動させることにより、着信を知らせる電磁エキサイタに関する。
【背景技術】
【０００２】
従来、携帯電話やＰＤＡなどの移動通信機器には、使用者に着信を知らせるのに、ブザー音やメロディ音を発したり、音を出さずに機器の筐体を振動させるように切り替えて使用するように構成されている。そのために、小型スピーカに類する音響発生用のスピーカと、偏心重りを小型モータで回転させて振動を発生する振動体を合わせて内蔵する構造が取られてきた。しかし、このようにスピーカと振動体との両方を組込むことは機器の小型化や低価格化の面で不利であった。そこで、近年１個のもので音響と振動の両方を発生させる電磁エキサイタが用いられるようになっている。
【０００３】
本願発明者は、図６乃至図８に示すような電磁エキサイタ５１を開発している（特許文献１）。
【０００４】
図６は、該電磁エキサイタ５１の縦断面の右半部を示しており、左半部は当該電磁式エキサイタの中心軸線Ｃを中心に実質的に右半部の対称形となっている。すなわち、この電磁エキサイタ５１は、平なべ状の外部ヨーク８、該ヨークの内部に順次積層された円柱状の永久磁石９、及び、内部ヨーク１０から構成される磁気回路部６２を有する。該磁気回路部６２は、サスペンション６３により筒状のケーシング５２に懸架されている。ケーシング５２の上端開口を覆うように天板５２ａが設けられており、該天板５２ａにはボイスコイル５が固定されている。外部ヨーク８の外周部にはリング状の重り６１が固定されており、ケーシングの下部開口にはメッシュ又は金属プレート等より成る防塵用部材４が設けられている。重り６１は、磁気回路部６２の固有振動数を低くするためのものであり、一般にタングステンなどの高比重材料を用いている。内部ヨーク１０と外部ヨーク８上端との間には磁気ギャップｇが形成されており、コイル５は磁気ギャップｇ内に位置している。
【０００５】
図７は、サスペンション６３の平面図である。該サスペンションは、板ばね部材をプレス成形して形成され、同心の内部リング部６３ａと外部リング部６３ｂと、両リング部を連結する円弧状のアーム部６３ｃとから構成されている。図６に示すように、サスペンション６３の内部リング部６３ａは、磁気回路部６２の外部ヨークに固定され、外部リング部６３ｂは、ケーシング５２の外筒部５２ｂと中筒部５２ｃとの間に挟持・固定されている。外部リング部６３ｂとアーム部６３ｃとの間は、該アーム部６３ｃと内部リング部６３ａとの間より大きな間隔とされており、重り６１の外周部分に設けた円弧状の突起部分が外部リング６３ｂとアーム部６３ｃとの間に挿入されるようにしている。これは、スペースを有効に利用して、重り６１の重量を増加させるためである。
【０００６】
この電磁エキサイタ５１は、天板５２ａに両面粘着テープを貼り付け、該両面粘着テープを、携帯電話などの電子機器、例えば、携帯電話等の筐体に貼り付けるようにして取り付けられる。コイル５が入力される駆動信号により励磁されると、該コイル５と磁石９との相互作用により、ボイスコイル５及び磁気回路部６２が相対的に振動する。駆動信号が、周波数の比較的高い音声領域の場合は、主にボイスコイルが振動してプレートを介して電子機器の筐体を振動し、周波数が低い場合には、主に磁気回路部が振動して、その振動がサスペンション６３及びケーシング５２を介して電子機器の筐体を振動する。
【０００７】
【特許文献１】特願２００５−０１４９１９号公報
【発明の開示】
【発明が解決しようとする課題】
【０００８】
図６の電磁エキサイタでは、磁気回路部６２が振動されるときには、上述のような構成のサスペンション６３によってケーシングに支持されているために、ケーシング５２に固定された外部リング部６３ｂに対して内部リング部６３ａとともに相対的に上下動されることになる。このとき、円弧状のアーム部６３ｃは、外部リング部６３ｂとの外側接続部６３ｄに対して内部リング部６３ａとの内側接続部６３ｅが相対的に上下動するために弓形に湾曲される。磁気回路部６２と天板５２ａとの間は、磁気回路部６２が天板５２ａに対して相対的に最大の振幅で振動した場合にも、該磁気回路部６２が天板５２ａに接触しないような間隔ｈ１が取られている。一方、磁気回路部が振動するときには、サスペンションの円弧状のアーム部６３ｃが、その外側接続部６３ｄを中心として弓形になるので、内側接続部分６３ｅの近くでは大きく変位し、外側接続部近くでは小さく変位することになり、そのために該アーム部の外側接続部分３６ｄに近い部分で、重りとアーム部との接触が生じやすい。このため、従来は、重り６１とサスペンションのアーム部との間隔を一律に、該アーム部の外側接続部３６ｄ近くでの重りとアーム部との接触が生じないだけの大きさｈ２にしていた。しかし、当該電磁エキサイタにおいて生じる振動の振動加速度を大きくするためには、重り６１をなるべく大きくすることが必要である。
【０００９】
本発明はこのような点に鑑み、電磁エキサイタ内の空間を有効に利用して、重りのサイズをできるだけ大きくすることができるようにすることを目的としている。
【課題を解決するための手段】
【００１０】
すなわち、本発明は
筒状の側壁部及び該側壁部の一方の端部に形成された底部壁を有する外部ヨーク、該外部ヨーク内で該底部壁の上に順次積層された磁石及び内部ヨークを有し、該内部ヨークと該側壁部との間に磁気ギャップを形成してなる磁気回路部と、
該磁気ギャップ内に挿入設定されるボイスコイルと、
該磁気回路部及びボイスコイルを収納するケーシングであって、該磁気回路部の周囲に配置される筒状壁を有するケーシングと、
該外部ヨークの該筒状の側壁部の他方の端部と該ケーシングの筒状壁との間に設定され、該磁気回路部を該ケーシングの該筒状壁に連結保持するサスペンションと、
該外部ヨークの側壁部の外側面上に取り付けられた重りと、
を有し、
該サスペンションが、該外部ヨークの該側壁部の他方の端部に固定される内側固定部と、該ケーシングの該筒状壁に固定される外側固定部と、該内側固定部及び外側固定部を連結する連結部とを有し、該外側固定部が該内側固定部よりも該ケーシングの該筒状壁の軸線方向において該重りから離れた位置で該筒状壁に固定され、該連結部が該内側固定部と該外側固定部との間で傾斜するようになされている電磁エキサイタを提供する。
【００１１】
この電磁エキサイタにおいては、内側固定部と外側固定部との上記のごとき位置的関係のため、重りの上端面をサスペンションに近づけて、該重りのサイズ、つまり、重量を増大できるようにしながら、該連結部における外側固定部に近い部分での重りの接触を回避するようにすることができる。
【００１２】
具体的には、
該サスペンションの該外側固定部及び該内側固定部が同心状にされた外部リング部及び内部リング部とされ、該連結部が該外部リング部及び内部リング部の間の円環状空間に配置された一対の円弧状のアーム部であって、相互に対照的に配置され、それぞれが、一端において外側リング部に連結され、他端において内側リング部に連結されるような構成とすることができる。
【００１３】
また、本発明は、
筒状の側壁部及び該側壁部の一方の端部に形成された底部壁を有する外部ヨーク、該外部ヨーク内で該底部壁の上に順次積層された磁石及び内部ヨークを有し、該内部ヨークと該側壁部との間に磁気ギャップを形成してなる磁気回路部と、
該磁気ギャップ内に挿入設定されるボイスコイルと、
該磁気回路部及びボイスコイルを収納するケーシングであって、該磁気回路部の周囲に配置される筒状壁を有するケーシングと、
該外部ヨークの該筒状の側壁部の他方の端部と該ケーシングの筒状壁との間に、該筒状壁の軸線に対して直角方向に延びるように設定され、該磁気回路部を該ケーシングの該筒状壁に連結保持するサスペンションと、
該外部ヨークの側壁部の外側面上に取り付けられた重りと、
を有し、
該サスペンションが、該外部ヨークの該側壁部の他方の端部に固定される内側固定部と、該ケーシングの該筒状壁に固定される外側固定部と、一端において外側固定部に連結され、他端において内側固定部に連結されている連結部とを有し、
該重りが、該サスペンションに向かう面を有し、該面が該連結部に軸線方向で対向する部分を有し、該部分と該連結部との間の軸線方向における間隔が、該連結部の該他端から該一端に向かうに従って大きくなるように傾斜されている電磁エキサイタを提供する。
【００１４】
この電磁エキサイタにおいては、サスペンションに面する重りの面に上記のごとき傾斜を設けることにより、重りをサスペンションに近づけて、該重りのサイズ、従って、重量を増大できるようにしながら、該連結部における外側固定部に近い部分での重りの接触を回避するようにすることができる。
【００１５】
具体的には、
該サスペンションが、該筒状壁の軸線に対して直角方向に延びるように設定することができる。
【００１６】
また、これとは別に、
該サスペンションを、その外側固定部が該内側固定部よりも該ケーシングの該筒状壁の軸線方向において該重りから離れた位置で該筒状壁に固定され、該連結部が該内側固定部と該外側固定部との間で傾斜するようにすることができる。
【００１７】
さらに、
該サスペンションの該外側固定部及び該内側固定部が同心状にされた外部リング部及び内部リング部とされ、該連結部が該外部リング部及び内部リング部の間の円環状空間に配置された一対の円弧状のアーム部であって、相互に対照的に配置され、それぞれが、一端において外側リング部に連結され、他端において内側リング部に連結されるようにすることもできる。
【００１８】
サスペンション及び重りの面の両方に上記のごとき傾斜をもうけることにより、いずれか一方に傾斜を設ける場合に比べて、それぞれの、傾斜の程度を小さくすることができる。
【発明の効果】
【００１９】
本発明によれば、電磁エキサイタ内の限られた空間を有効に利用して、重りを大きくすることができ、従って、磁気回路部の重量を大きくすることができるので、当該電磁エキサイタにおける振動加速度を向上させることができる。
【発明を実施するための最良の形態】
【００２０】
以下、本発明の実施の形態を図面に基づいて詳細に説明する。図１は本発明の第１の実施の形態である電磁エキサイタ１の右半分を示す部分断面図を示しており、左半部は当該電磁式エキサイタの中心軸線Ｃを中心に実質的に右半部の対称形となっている。図２はこの電磁エキサイタのサスペンション１３を示す斜視図、図３はこの電磁エキサイタの重り１１を示す斜視図である。
【００２１】
この電磁エキサイタ１は、前述した図６の電磁エキサイタとほぼ同様の構成を有する。すなわち、この電磁エキサイタ１は、筒状のケーシング２と、該ケーシング２内に設けられた磁気回路部１２と、ボイスコイル５とを有している。
【００２２】
磁気回路部１２は、筒状側壁８ｂと底部壁８ａとを有する外部ヨーク８と、該外部ヨーク８の底部壁上に順次積み重ねられた磁石９と、内部ヨーク１０とから構成されている。外部ヨーク８と内部ヨーク１０との間には磁気ギャップｇが形成されている。ボイスコイル５は、エナメル被覆銅線であるコイル巻線を環状に巻回した空芯ボイスコイルであり、ケーシング２の天板２ａに固定されて磁気ギャップｇ内に挿入されている。磁気回路部１２は、サスペンション１３により、ケーシング２に弾性的に懸架されており、軸線方向に振動可能となっている。外部ヨーク８の筒状側壁８ｂの外側面には、リング状の重り１１が嵌合固定されている。該ケーシングの下側の開口部は、防塵用のメッシュまたは金属プレート等よりなる背面部材4で覆われている。
【００２３】
サスペンション１３は、図２に示されるように、図７に示したサスペンション６３と同様の構成を有しており、同心状の内部リング部１３ａと外部リング部１３ｂと、両リング部を連結する一対の円弧状のアーム部１３ｃとよりなる。該サスペンションは、平板状の板バネ部材をプレス抜きなどで成形される。
【００２４】
この第１の実施形態に係る電磁エキサイタにおいて特徴とするところは、図１及び図２から分かるように、サスペンション１３の内部リング部１３ａが外部リング部１３ｂに対して当該電磁エキサイタの軸線方向でずらされた位置（図１で見て下方にずれた位置）とされていることである。具体的には、外部リング部１３ｂは、ケーシング２の外筒部２ｂと内筒部２ｃとの間にクランプされて固定され、また、内側リング部１３ａは外部ヨーク８の筒状側壁８ｂの上端面に固定されるようになっており、図６に示された電磁エキサイタ５１に比べて、外部リング部１３ｂの位置がケーシング２の天板２ａの近くに位置するようにされている。
【００２５】
図６の電磁エキサイタ５１に関して述べたように、ボイスコイルに駆動信号が入力されると、磁気回路部１２はボイスコイル５に対して相対的に振動する。このため、サスペンションの内部リング部１３ａは、該磁気回路部１２が最大振幅で振動された場合でも、天板２ａに接触しないように位置に設定される必要があるのに対して、外部リング部１３ｂはケーシング２、つまり、天板２ａに対して相対的な運動をしないので、該天板２ａに近づけた位置とすることができるのである。外部リング部１３ｂと内部リング部１３ａとをこのような位置関係としているために、外部リング部１３ｂから内部リング部１３ａの間で延びる円弧状アーム部１３ｃは、外側接続部１３ｄと内側接続部１３ｅとの間で次第に傾斜するようになっている。
【００２６】
サスペンション１３をこのように構成しているため、重り１１の上端面１１ａを図６に示した場合に比べてサスペンション１３のアーム部１３ｃに近づけても、該アーム部に対する重り１１の接触が生じにくくなり、その分だけ、重りを大きくすることが可能となる。
【００２７】
図４は本発明の第２の実施の形態である電磁エキサイタ２１の右半分を示す部分断面図である。図５はこの電磁エキサイタの重り３１を示す斜視図である。この電磁エキサイタ２１は、図６に示した電磁エキサイタ５１とほぼ同様の構成を有しており、同じエレメントには同じ参照番号を付して、詳細な説明は省略する。この電磁エキサイタ２１において特徴とするところは、図５に示す重り３１の形状にある。
【００２８】
すなわち、該重り３１は、外部ヨーク８の外周面に嵌合される内周面３１ａを有するリング状とされており、図８の重りと同様に、その上端面３１ｄの外周部分には、サスペンションの外部リング部と円弧状のアーム部との間に挿入される円弧状の突起３１ｂが形成されており、内周部分には外部ヨーク８の筒状側壁上端のフランジ部分８ｃに形成された図示しない凹部に係合される突起３１ｅが設けられている。参照番号３１ｃは、内周面３１ａの上端縁に設けた面取り部分を示す。この重り３１が特徴とするところは、上端面３１ｄに矢印Ｘで示す周方向において傾斜をつけたことである。すなわち、磁気回路部１２が最大振幅時（図４で見て、磁気回路部１２が最も上方へ変位したとき）に、サスペンション６３の円弧状アーム部６３ｃとの隙間がほぼ一定になるように矢印方向で下るような傾斜がつけられている。この第２の実施形態では、第１の実施形態において、重りのサスペンションに向かう平坦な面に対しサスペンション１のアーム部を傾斜するようにして重りと該アーム部との接触が生じないようにしたのに対し、それとは逆に、サスペンションを全体として平坦とすると共に重りのサスペンションに向かう上端面に傾斜をつけ、重りとサスペンションとの接触を回避しようとしたものである。
【００２９】
上述した第１の実施形態では、サスペンションにその半径方向で傾斜をつけ、第２の実施形態では重りの上端面に傾斜をつけることにより、重りとサスペンションとの接触を回避しようとするものであるが、その両者を採用する、すなわちサスペンションに半径方向での傾斜をつけ、且つ、重りの上端面にも傾斜をつけるようにすることもできる。この場合、サスペンションの傾斜、及び、重り上端面の傾斜を、それらを単独に採用する場合に比べて、小さくすることができる。
【産業上の利用可能性】
【００３０】
本発明の電磁エキサイタは、携帯電話やＰＤＡ等の移動体通信機器及びゲーム機器等に広く適用できる。
【図面の簡単な説明】
【００３１】
【図１】本発明の第１の実施の形態である電磁エキサイタの断面の右半分を示す部分断面図である。
【図２】本発明の第１の実施の形態である電磁エキサイタのサスペンションを示す斜視図である。
【図３】本発明の第１の実施の形態である電磁エキサイタの重りを示す斜視図である。
【図４】本発明の第２の実施の形態である電磁エキサイタの断面の右半分を示す部分断面図である。
【図５】本発明の第２の実施の形態である電磁エキサイタの重りを示す斜視図である。
【図６】従来の電磁エキサイタの断面の右半分を示す部分断面図である。
【図７】従来の電磁エキサイタのサスペンションを示す平面図である。
【図８】従来の電磁エキサイタの重りを示す斜視図である。
【符号の説明】
【００３２】
１  電磁エキサイタ
２  ケーシング
２ａ  天板
２ｂ  外筒部
２ｃ  内筒部
４  背面部材
５  ボイスコイル
８  外部ヨーク
８ａ  底部壁
８ｂ  筒状側壁
８ｃ  フランジ部分
９  磁石
１０  内部ヨーク
１１  重り
１１ａ  上端面
１２  磁気回路部
１３  サスペンション
１３ａ  内部リング部
１３ｂ  外部リング部
１３ｃ  アーム部
１３ｄ  外側接続部
１３ｅ  内側接続部
２１  電磁エキサイタ
３１  重り
３１ａ  内周面
３１ｂ  突起
３１ｃ  面取り部分
３１ｄ  上端面
３１ｅ  突起
５１  電磁エキサイタ
６３  サスペンション
６３ａ  内部リング部
６３ｂ  外部リング部
６３ｃ  アーム部
６３ｄ  外側接続部
６３ｅ  内側接続部
ｇ      磁気ギャップ
【図１】
2006325198.tif 000003
【図２】
2006325198.tif 000004
【図３】
2006325198.tif 000005
【図４】
2006325198.tif 000006
【図５】
2006325198.tif 000007
【図６】
2006325198.tif 000008
【図７】
2006325198.tif 000009
【図８】
2006325198.tif 000010